(57)【要約】      （修正有）【課題】振動板の形や材質選びが幅広いスピーカーシステムを提供する。【解決手段】振動板４に直接、あるいは固定具２などを介して発振体１を設置する。この発振体１の可動部分３は、バネ５あるいは弾性体を直列的に介して、同じ振動板４上で発振体１を接続設置した場所Ａとは異なる場所Ｂに接続し、バネ５あるいは弾性体の共振作用を得て動作するスピーカーシステム。【選択図】図１
2014068112.tif 000002
【特許請求の範囲】
【請求項１】
振動版（４）に直接、あるいは固定具（２）などを介して設置された発振体（１）の可動部分（３）は、間にバネ（５）または弾性体を直列的に介して、同じく振動版（４）上の発振体（１）を接続設置した場所とは異なる場所に、直接、あるいは固定具などで接続されていて、バネ（５）あるいは弾性体の共振作用を得ながら動作するスピーカーシステム。
【発明の詳細な説明】
【技術分野】
【０００１】
スピーカーシステムの発明である。
【背景技術】
【０００２】
最近、スピーカー分野に関して電磁アクチュエータあるいは超磁歪素子アクチュエータ利用し、従来からの技術であるコーン紙で空気に振動を与えて音を出す理論ではなく、物質に直接振動を与えるところの骨伝導理論スピーカーなるものがあり、物体内部に直接振動を与えて、例えばドアやテーブルなどいろいろな物をスピーカーにしてしまう発明も存在する。 
本願発明はこの骨伝導理論のスピーカーシステムに関するものである。
【先行技術文献】
【特許文献】
【０００３】
【特許文献１】特開２００７−１９６２３
【特許文献２】特開２０１２−４９６５３
【発明の概要】
【発明が解決しようとする課題】
【０００４】
骨伝導理論スピーカーには、電磁アクチュエータを利用したものと超磁歪素子アクチュエータを利用したものとがあり、この分野の先行技術の中を見る中でひとつの原理に気がつく。これを明確に理論付けして、それに基づいて新たなスピーカーシステムを構築することを課題とする。
その先行技術のシステムは図１上図で示す以下のものとなる。
振動板（４）に固定具（２）を介して設置した発振体（１）の可動部分（３）は、この発振体（１）を接続設置した場所（Ａ）とは異なる振動板（４）の場所（Ｂ）に接続されているスピーカーシステム。
この様な構造のものは以下の先行技術で開示されている。
特許文献１  特開２００７−１９６２３
振動発生アクチュエータは筐体を介して振動版と固定してあり、可動部分である振動伝達材が直接振動版に接続されている。なお、この文献の請求項２に、板面に対して平行に振動を与える、となっているが、本願発明振動発生システムに於いては振動を与える方向は特定していないのでサンプルとして紹介する。
特許文献２  特開２０１２−４９６５３で、
超磁歪アクチュエータはブラケットを介して振動版に固定されていて、可動部分であるヘッドは同じく振動版に当接されている。
この先行技術のシステムが具体的にどのように働いているのかを説明する。
まず、発振体（１）への入力信号に応じて可動部分（３）が伸縮する形での運動が発生する。この運動は、可動部分（３）が接続されている振動版（２）の（Ｂ）の場所に伝わる。この時、発振体（１）は、固定具を介して振動版（２）の（Ａ）の場所に接続されているので、これら二つの場所（Ａ）と（Ｂ）との間の振動版（２）がたわみ伸縮する形で振動が発生することになる。
この先行技術において音質に最も深く関与するのは振動版（４）の形や材質であるが、なかなか良い素材が見つかっていないのが現実の問題である。
なお、発振体（１）とは従来からある電磁アクチュエータあるいは超磁歪素子アクチュエータとする。
【課題を解決するための手段】
【０００５】
上記従来のスピーカーシステムの問題を解決すべく本願発明は図１下図で示すところの、以下のスピーカーシステムを提供する。
振動版（４）に固定具（２）を介して設置した発振体（１）の可動部分（３）は、間にバネ（５）を直列的に介して同じく振動版（４）上の、発振体（１）を接続設置した場所（Ａ）とは異なる場所（Ｂ）に接続されていて、発生する振動とバネ（５）との共振作用を利用し得ながら動作するスピーカーシステム。
なお、バネ（５）の代わりに弾性体を使う事も可能である。
【発明の効果】
【０００６】
バネ（５）の素材や大きさ、形を選択することなどで共振作用を調整し、発生する振動を大きくしたり、周波数特性を改良したり出来るので、振動板の形や材質選びの幅が広くなる。
振動を与えたい物体を直接動かす必要がなく、実際に動くのは可動部分（３）のみで、これらは軽い素材でも良いので、振動を与えたい物体への遠心力は殆どかからず、運動エネルギーの無駄な消費は少ない。
発振体（１）への入力信号がなくなるとバネ（５）の戻る力で、もともと軽い可動部分（３）は直ちに停止するので、入力応答性がきわめて高い。
発振体（１）への入力信号はどのように変化する波形にも対応可能である。
構造が単純なので微小な構造のものから、巨大なものまで、応用利用範囲は広い。
振動の大きさなども自由に設計出来るので、スピーカー分野にとどまらず、振動試験機や、振動機などの分野への応用も可能である。
【図面の簡単な説明】
【０００７】
【図１】は、解説図。
【図２】は、実施例１の立体図。
【図３】は、実施例１の断面図。
【図４】は、実施例２の立体図
【図５】は、実施例３の立体図
【図６】は、実施例４の立体図。
【図７】は、実施例５の立体図。
【発明を実施するための形態】
【０００８】
以下、本願発明の形態を図１下の図に基づいて説明する。
発振体（１）への入力信号に応じて可動部分（３）が伸縮する形の運動が発生する。
この運動は、その先に直列に結合されているバネ（５）の共振作用を得ながら、バネ（５）が接続されている振動版（２）の（Ｂ）の場所に伝わる。この時、発振体（１）は、固定具を介して振動版（２）の（Ａ）の場所に接続されているので、これら二つの場所（Ａ）と（Ｂ）との間の振動版（２）が、たわみ伸縮する形で振動が場発生することになる。
【実施例１】
【０００９】
バネ（５）を板バネとしたものの立体図を図２に断面図を図３に示した。
【実施例２】
【００１０】
固定具（２）固定具（６）の形態を変えた例の立体図を図４に示した。
可動子（３a）、振動アーム（３b）で、可動部分（３）を形成する。
【実施例３】
【００１１】
振動板（４）を開口箱形にした例の立体図を図５に示す。
【実施例４】
【００１２】
スタンド型スピーカーの例の立体図を図６に示す。
振動板（６）を、緩衝部（７）を介してスタンド（８）が保持している。
【実施例５】
【００１３】
スタンド型スピーカーを形成した例の立体図を図７に示す。
振動板（９）にキャップ（１０）、固定具（１１）及び台座（１２）を介して設置された発振体（１３）の可動部分（１４）は間に弾性体より成る固定具（１５）で直列的に介して、同じく振動板（９）上の、発振体（１３）を接続設置した場所とは異なる場所に接続されていて、弾性体より成る固定具（１５）の共振作用を得ながら動作するものである。
【符号の説明】
【００１４】
１  電磁アクチュエータ、あるいは超磁歪素子アクチュエータである略円柱状の発振体
２  固定具
３  可動部分
３a
可動子
３b  振動アーム
４  振動板
５  バネ
６  固定具
７  緩衝部
８  スタンド
９  振動板
１０  キャップ
１１  固定具
１２  台座
１３  発振体
１４  可動部分
１５  弾性体より成る固定具
【図１】
2014068112.tif 000003
【図２】
2014068112.tif 000004
【図３】
2014068112.tif 000005
【図４】
2014068112.tif 000006
【図５】
2014068112.tif 000007
【図６】
2014068112.tif 000008
【図７】
2014068112.tif 000009
【手続補正書】
【提出日】平成25年1月16日(2013.1.16)
【手続補正１】
【補正対象書類名】特許請求の範囲
【補正対象項目名】請求項１
【補正方法】変更
【補正の内容】
【請求項１】
振動版（４）に直接、あるいは固定具（２）などを介して設置された発振体（１）の可動部分（３）は、間にバネ（５）または弾性体を直列的に介して、同じく振動版（４）上の発振体（１）を接続設置した場所とは異なる場所に、直接、あるいは固定具などで接続されていて、バネ（５）あるいは弾性体の共振作用を得ながら動作する骨伝導スピーカーシステム。
【手続補正書】
【提出日】平成25年4月20日(2013.4.20)
【手続補正１】
【補正対象書類名】特許請求の範囲
【補正対象項目名】請求項１
【補正方法】変更
【補正の内容】
【請求項１】
補正内容１
振動版（４）に直接、あるいは固定具（２）などを介して設置された発振体（１）の可動部分（３）は、間にＳ字状のバネ（５）を直列的に介して、同じく振動版（４）上の発振体（１）を接続設置した場所とは異なる場所に、直接、あるいは固定具などで接続されていて、バネ（５）の共振作用を得ながら動作する骨伝導スピーカーシステム。
【手続補正書】
【提出日】平成25年5月22日(2013.5.22)
【手続補正１】
【補正対象書類名】特許請求の範囲
【補正対象項目名】請求項１
【補正方法】変更
【補正の内容】
【請求項１】
振動版（４）に直接、あるいは固定具（２）などを介して設置された発振体（１）の可動部分（３）は、間にＳ字状のバネ（５）を直列的に介して、同じく振動版（４）上の発振体（１）を接続設置した場所とは異なる場所に、直接、あるいは固定具などで接続されていて、バネ（５）の共振作用を得ながら動作する骨伝導スピーカーシステム。